(57)【要約】【課題】ドライアイスから生じた氷や水が収納物に落下することを防止すると共に、ドライアイスから生じた二酸化炭素が容器本体の内部に流入することを防止する収納容器を提供することを目的とする。【解決手段】天井面２に配置穴を形成する容器本体１と、ドライアイスを入れる皿部３と、容器本体１に収納した収納物と皿部３との間に位置する受け部４と、皿部３の開放面３ａを覆う押え部とを備え、  皿部３は、熱伝導率の高い素材で構成されてドライアイスの冷熱を皿部３の素材を介して容器本体１の内部へ伝え、  受け部４は、ドライアイスによって皿部３の外面に生じた氷及び／又は水が収納物へ落下することを防ぎ、  押え部は、ドライアイスの二酸化炭素を外部へ逃がす構成を備える。【選択図】図２
2009067440.tif 000002
【特許請求の範囲】
【請求項１】
天井面に配置穴を形成する容器本体と、該容器本体の配置穴に配置してドライアイスを入れる皿部と、前記容器本体に収納した収納物と皿部との間に位置するよう容器本体内に配置する受け部と、前記皿部の開放面を覆ってドライアイスの露出を防ぐ押え部とを備え、
前記皿部は、熱伝導率の高い素材で構成されてドライアイスの冷熱を皿部の素材を介して容器本体の内部へ伝え、
前記受け部は、ドライアイスによって皿部の外面に生じた氷及び／又は水が収納物へ落下することを防ぎ、
前記押え部は、ドライアイスの二酸化炭素による容器本体内への侵入を防止するよう、ドライアイスの二酸化炭素を外部へ逃がす構成を備えたことを特徴とする収納容器。
【請求項２】
前記受け部は、皿部との間に隙間を有して容器本体内に懸吊され、容器本体の内部で冷気が収納物側へ流通し得る流通口を備えたことを特徴とする請求項１に記載の収納容器。
【請求項３】
前記受け部は、天井面に懸吊されるよう配置穴の周囲面に係止する係止部と、該係止部から容器本体の内部へ延在する中間部と、皿部の下方に位置するよう中間部に支持される下部を備えたことを特徴とする請求項１又は２に記載の収納容器。
【請求項４】
前記押え部は、ドライアイスの二酸化炭素を外部へ逃がすよう、皿部との間に隙間を備えるシート面、二酸化炭素を透過する素材を有したシート面、二酸化炭素を排出する孔を形成したシート面の少なくとも１つで形成されたことを特徴とする請求項１に記載の収納容器。
【請求項５】
前記皿部は、天井面に係止されるよう配置穴の周囲面に合致する縁部を備え、前記押え部は、皿部の縁部を配置穴の周囲面に押え付けて皿部と容器本体の隙間を塞ぐよう着接手段を備えたことを特徴とする請求項１又は４に記載の収納容器。
【発明の詳細な説明】
【技術分野】
【０００１】
本発明は、収納容器に関するものである。
【背景技術】
【０００２】
一般に、ケーキ等の食品を紙製の収納容器に収納して持ち運ぶ際には、ドライアイスや蓄冷剤を収納容器内に入れ、一定時間、食品の品質が低下しないようにしている。
【０００３】
この時、ドライアイスや蓄冷剤を収納容器の側面や底部に配置した場合は、冷却効率が十分でないため、収納容器の天井部分に、保冷用の皿や容器等の支持手段を介してドライアイス等を配置し、冷却効率を高めることが考えられている（例えば、特許文献１参照）。
【特許文献１】特願２００７−１５７３８号公報
【発明の開示】
【発明が解決しようとする課題】
【０００４】
しかしながら、このような収納容器では、ドライアイス等が天井部分に配置されるため、食品を収納して保冷する際に、ドライアイス等によって皿等の支持手段に生じた氷や水が食品に直接落下し、食品（収納物）の品質の低下を招くという問題があった。又、保冷の際にドライアイスを用いた場合には、二酸化炭素が発生して冷気と共に収納容器内に流入するため、収納容器内のケーキ等の食品（収納物）の味（品質）が変化する問題があった。更に、保冷の際に蓄冷剤を用いた場合には、ドライアイスに比べて冷却効率が弱いという問題があった。
【０００５】
本発明は、上述の実情に鑑みてなされたものであり、ドライアイスから生じた氷や水が収納物に落下することを防止すると共に、ドライアイスから生じた二酸化炭素が容器本体の内部に流入することを防止する収納容器を提供することを目的としている。
【課題を解決するための手段】
【０００６】
本発明は、天井面に配置穴を形成する容器本体と、該容器本体の配置穴に配置してドライアイスを入れる皿部と、前記容器本体に収納した収納物と皿部との間に位置するよう容器本体内に配置する受け部と、前記皿部の開放面を覆ってドライアイスの露出を防ぐ押え部とを備え、
前記皿部は、熱伝導率の高い素材で構成されてドライアイスの冷熱を皿部の素材を介して容器本体の内部へ伝え、
前記受け部は、ドライアイスによって皿部の外面に生じた氷及び／又は水が収納物へ落下することを防ぎ、
前記押え部は、ドライアイスの二酸化炭素による容器本体内への侵入を防止するよう、ドライアイスの二酸化炭素を外部へ逃がす構成を備えたことを特徴とするものである。
【０００７】
又、本発明において、前記受け部は、皿部との間に隙間を有して容器本体内に懸吊され、容器本体の内部で冷気が収納物側へ流通し得る流通口を備えることが好ましい。
【０００８】
更に、本発明において、前記受け部は、天井面に懸吊されるよう配置穴の周囲面に係止する係止部と、該係止部から容器本体の内部へ延在する中間部と、皿部の下方に位置するよう中間部に支持される下部を備えることが好ましい。
【０００９】
又、本発明において、前記押え部は、ドライアイスの二酸化炭素を外部へ逃がすよう、皿部との間に隙間を備えるシート面、二酸化炭素を透過する素材を有したシート面、二酸化炭素を排出する孔を形成したシート面の少なくとも１つで形成されることが好ましい。
【００１０】
更に、本発明において、前記皿部は、天井面に懸吊されるよう配置穴の周囲面に合致する縁部を備え、前記押え部は、皿部の縁部を配置穴の周囲面に押え付けて皿部と容器本体の隙間を塞ぐよう着接手段を備えることが好ましい。
【００１１】
而して、本発明によれば、収納物と皿部との間に受け部を備えるので、収納物を収納して保冷する際に、ドライアイスによって皿部の外面に生じた氷及び／又は水が落下する場合であっても、氷や水を受け部で受け止めて収納物への氷や水の落下を防止し、収納物の品質の低下を抑制できる。又、皿部の開放面を覆う押え部は、ドライアイスの二酸化炭素を外部へ逃がす構成を備えるので、ドライアイスの二酸化炭素による容器本体内への侵入を防止し、収納容器内の収納物が二酸化炭素により変化することを抑制できる。更に、天井面に皿部を介してドライアイスに備えるので、蓄冷剤に比べて冷却効率を十分に高めることができる。更に又、天井面の配置穴に皿部を配置し、次に皿部にドライアイスを入れて押え部を配置し得るので、皿部を簡易に配置できると共に、皿部にドライアイスを入れて容易に準備できる。
【００１２】
本発明において、受け部は、皿部との間に隙間を有して容器本体内に懸吊され、容器本体の内部で冷気が流通し得る流通口を備えると、皿部との間の隙間により、皿部の外面に生じた氷及び／又は水が受け部に直接移行して受け部自体に新たな氷や水が生じることがないので、受け部から収納物への氷や水の落下を防止し、収納物の品質の低下を抑制できる。又、受け部は、容器本体の内部で冷気が収納物側へ流通し得る流通口を備えるので、収納物を適切に保冷できる。
【００１３】
本発明において、受け部は、天井面に懸吊されるよう配置穴の周囲面に係止する係止部と、係止部から容器本体の内部へ延在する中間部と、皿部の下方に位置するよう中間部に支持される下部を備えると、天井面の配置穴に受け部を配置した後に、受け部の係止部を挟み込むように皿部を配置して受け部を固定するので、受け部を簡易に設置できる。又、受け部の構成により収納物への氷や水の落下を好適に受け止めると共に、収納物を好適に保冷できる。
【００１４】
本発明において、押え部は、ドライアイスの二酸化炭素を外部へ逃がすよう、皿部との間に隙間を備えるシート面、二酸化炭素を透過する素材を有したシート面、二酸化炭素を排出する孔を形成したシート面の少なくとも１つで形成されると、ドライアイスの二酸化炭素による容器本体内への侵入を防止し、収納容器内の収納物が二酸化炭素により変化することを好適に抑制できる。
【００１５】
本発明において、皿部は、天井面に係止されるよう配置穴の周囲面に合致する縁部を備え、押え部は、皿部の縁部を配置穴の周囲面に押え付けて皿部と容器本体の隙間を塞ぐよう着接手段を備えると、皿部と容器本体の隙間からドライアイスの二酸化炭素が容器本体内へ侵入することを防止し、収納容器内の収納物が二酸化炭素により変化することを好適に抑制できる。
【発明の効果】
【００１６】
上記した本発明の収納容器によれば、ドライアイスから生じた氷や水が収納物に直接落下することを抑制できると共に、ドライアイスから生じた二酸化炭素が容器本体の内部に流入することを抑制できるという種々の優れた効果を奏し得る。
【発明を実施するための最良の形態】
【００１７】
以下本発明の実施の形態を図面を参照しつつ説明する。
【００１８】
図１〜図７は本発明を実施する形態の一例を示すもので、本形態例の収納容器は、内部にケーキ等の食品（収納物）を入れて持ち運びできる紙やダンボール製の容器本体１と、容器本体１の天井面２に配置してドライアイスＤを入れる皿部３と、収納物（図示せず）と皿部３との間で容器本体１内に配置する受け部４と、皿部３の開放面３ａを覆ってドライアイスＤの露出を防ぐ押え部５ａ，５ｂとを備えている。
【００１９】
容器本体１は、一枚の紙やダンボール製シートを折り畳んで形成されるものであり、底面６と、底面６から折り返して形成される周囲面７と、底面６から折り返して形成される背面８と、背面８から更に折り返して形成される天井面２とを備えている。又、周囲面７には、切り込み９ａを介して背面８側で接続する接続部９と、周囲面７の上端から折り返して配置される縁部１０とが備えられている（図５参照）。更に、天井面２には、中央位置に所定の面積を備えた配置穴１１が形成される（図４参照）と共に、天井面２の先端には、天井面２が蓋として閉じ得るよう縁部１０の切り込み１０ａに挿入する舌部２ａが形成されている（図５参照）。ここで、容器本体１は、内部に皿部３及び受け部４を配置しても、食品に接触しない高さを備えている。なお、容器本体１の形状は配置穴１１を備えて内部に食品（収納物）を収納するならば、他の形状や素材でも良い。
【００２０】
皿部３は、ドライアイスＤを入れる収納部分を容器本体１の内部へ露出させるよう、容器本体１の配置穴１１に挿入し得る皿本体１２と、皿本体１２を天井面２に係止させるよう配置穴１１の周囲面２ｂに合致する所定幅の縁部１３とを備えている。又、皿部３は、熱伝導率の高いアルミ、銅等の金属素材で構成され、ドライアイスＤの冷熱をドライアイスＤの皿本体１２から直接、容器本体１の内部へ伝えるようにしている。ここで、皿部３の皿本体１２は、ドライアイスＤを数十ｇから数百ｇを収納し得る容積を備えている。又、皿部３の素材は、熱伝導率の高いものならば金属素材以外のものでも良い。
【００２１】
受け部４は、皿部３の皿本体１２との間に隙間を有して天井面２から容器本体１内に懸吊されるよう、配置穴１１の周囲面２ｂに係止する二つの係止部１４と、二つの係止部１４から容器本体１の内部へ略平行に延在する二つの中間部１５と、皿部３の下方に位置するよう二つの中間部１５に支持される下部１６とを備えている。又、受け部４は、皿部３の皿本体１２に接触しないように配置される共に、中間部１５のない部分を流通口１７とし、皿部３の皿本体１２との間の隙間から食品（収納物）側へ冷気が流通し得るようにしている。ここで、受け部４は、紙等の素材で構成されており、素材は、水を吸収できるものが特に好ましい。
【００２２】
押え部５ａ，５ｂは、図６、図７に示す如く、ドライアイスＤの二酸化炭素を外部へ逃がすよう、皿部３の縁部１３との間に隙間を備えるシート面１８ａ、二酸化炭素を透過するシート面１８ｂ、二酸化炭素を排出する孔を形成したシート面１８ｃの少なくとも１つで形成された構成を備えている。このうち、シート面１８ａが皿部３の縁部１３との間に隙間を備える構成の場合には、押え部５ａ，５ｂにより皿部３の縁部１３を押え付けると共に、他の位置に形成された隙間により皿部３内と外気とを流通可能にしており、シート面１８ｂが二酸化炭素を透過する構成の場合には、押え部５ａ，５ｂにより皿部３の縁部１３を押え付けると共に、シート面１８ｂの素材を樹脂や布等で構成して皿部３内と外気とを流通可能にしており、シート面１８ｃが二酸化炭素を排出する孔を形成する構成の場合には、押え部５ａ，５ｂにより皿部３の縁部１３を押え付けると共に、シート面１８ｃの孔により皿部３内と外気とを流通可能にしている。ここで、シート面１８ａに形成される隙間や、シート面１８ｃに形成される孔は、ドライアイスＤが露出しない位置や細孔で構成され、ドライアイスＤが外側へ漏れないようになっている。又、押え部５ａ，５ｂは、これらの構成を組み合せたものでも良いし、押え部５ａ，５ｂの素材は、紙、布、ＰＥＴ（ポリエチレンテレフタレート）、ＰＥ（ポリエチレン）、ＰＳ（ポリスチレン）等の素材でも良い。
【００２３】
又、図６に示す如く、押え部５ａは、皿部３の縁部１３よりも一回り大きい形状を備えると共に、裏面の周囲に着接手段の接着面１９ａを備えて良い。更に、図７に示す如く、押え部５ｂは、容器本体１の背面８から天井面２を介して前方の周囲面７まで掛け回し得る帯状の形状を備えると共に、帯状の裏面の両端等に着接手段の接着面１９ｂを備えても良く、押え部５ａ，５ｂの着接手段で容器本体１に接着した際に、押え部５ａ，５ｂのシート面１８ａ，１８ｂ，１８ｃにより皿部３の縁部１３を配置穴１１の周囲面２ｂに押え付けて皿部３と容器本体１の隙間を塞ぐものならば、どのような形状や構成でも良い。
【００２４】
又、押え部５ａ，５ｂの表面には、ドライアイスＤに使用している旨の表記や、賞味期限を記載するようにしている。ここで、表面に記載する内容は、広告等の他の表記や、図面、模様等の意匠でも良く、特に制限されるものではない。
【００２５】
以下本発明の収納容器を実施する形態例の作用を説明する。
【００２６】
収納容器を使用する際には、初めに容器本体１を組み立て、図４に示す如く、配置穴１１に受け部４の下部１６及び中間部１５を挿入して配置穴１１の周囲面２ｂに係止部１４を係止し、受け部４を天井面２に懸吊する。次に、受け部４を備えた配置穴１１に皿部３の皿本体１２を挿入し、受け部４の係止部１４を挟み込むよう配置穴１１の周囲面２ｂに皿部３の縁部１３を係止し、皿部３を容器本体１の天井面２に配置する。ここで、容器本体１、受け部４、皿部３は、予め準備しても良いし、ドライアイスＤを入れる直前に組み立てても良い。又、容器本体１の天井面２と受け部４の係止部１４、容器本体１の天井面２と皿部３の縁部１３を、適宜、接着手段により固定しても良いし、載置するのみでも良い。
【００２７】
続いて、容器本体１内にケーキ等の食品（収納物）を入れ、皿部３に、所望の保冷時間に対応する量のドライアイスＤを入れ、更に、押え部５ａ，５ｂで皿部３の開放面３ａを塞ぐと共に、皿部３の縁部１３を配置穴１１の周囲面２ｂに押え付けて皿部３と容器本体１との隙間を塞ぐ。ここで、押え部５ａ，５ｂが、図６に示す如く皿部３の縁部１３よりも一回り大きい形状の場合には、予めドライアイスＤを入れて押え部５ａ，５ｂを貼付した後に、容器本体１内に食品（収納物）を入れても良い。更に、押え部５ａ，５ｂが、図７に示す如く容器本体１の背面８から前方の周囲面７まで掛け回し得る帯状の形状の場合には、容器本体１内に食品（収納物）を入れた後に、ドライアイスＤを入れて押え部５ａ，５ｂを貼付し、同時に容器本体１の天井部（蓋部）を周囲面２ｂに固定しても良い。又、ドライアイスＤは、予め所定の時間に対応する大きさのブロック状のものを入れても良いし、量を測った粒状、又は破砕した形状のものを入れても良い（図６ではブロック状を示す）。
【００２８】
その後、容器本体１内の食品を保冷する際には、ドライアイスＤによって皿部３の外面に霜状の氷及び／又は水が生じ、容器本体１の振動や温度上昇によって落下する一方で、受け部４は、皿部３の外面から落下した氷や水を受け止め、水分を吸収するようにしている。ここで、皿部３と受け部４との間に隙間が無い場合には、皿部３の外面に生じた氷及び／又は水が受け部４に直接移行して受け部４自体に新たな氷や水が生じ、受け部４から氷や水が食品へ落下するという問題がある。
【００２９】
同時に、容器本体１内の食品を保冷する際には、熱伝導率の高い皿部３の素材によりドライアイスＤの冷熱を容器本体１の内部へ直接伝えると共に、押え部５ａ，５ｂのドライアイスＤの二酸化炭素を外部へ逃がす構成により、容器本体１内への二酸化炭素の侵入を防止する。
【００３０】
次に、本発明の如く収納容器の皿部３にドライアイスＤを用いた場合と、収納容器内に蓄冷剤を用いた場合とにおいて、冷却効率等を比較する（室温設定３０℃）。
【００３１】
図８のグラフに示す如く、容器本体１にドライアイス（ＤＩ）を５０ｇ入れた場合と、同じ形状の容器本体１に一般的な蓄冷剤を５０ｇ入れた場合で比較すると、ドライアイスの場合には容器本体１内の温度が約２時間にわたって３〜５℃低く、ドライアイスの冷却効率が蓄冷剤よりも高いことが明らかである。
【００３２】
図９のグラフに示す如く、容器本体１にドライアイス（ＤＩ）を５０ｇ入れた場合と、容器本体１にドライアイス（ＤＩ）を１００ｇ入れた場合と、同じ形状の容器本体１に一般的な蓄冷剤を５０ｇ入れた場合で比較すると、ドライアイス１００ｇの場合には容器本体１内の温度が蓄冷剤に比べて約２時間にわたって約７℃低く、更にドライアイス５０ｇに比べて長時間保冷して温度変化を抑制することができ、ドライアイスの量によって保冷時間をコントロールできることが明らかである。なお、蓄冷剤を用いた場合には、保冷時間をコントロールできず、蓄冷剤の量を増やしても冷却効率を高めることができない。
【００３３】
図１０のグラフに示す如く、容器本体１にドライアイス（ＤＩ）を５０ｇ入れた場合と、同じ形状の容器本体１に一般的な蓄冷剤を５０ｇ入れた場合で比較すると、ドライアイスの場合にはケーキの品温が約２時間にわたって２〜３℃低く、ドライアイスの冷却効率が蓄冷剤よりも高いことが明らかである。
【００３４】
以上のことから、ケーキを収納する収納容器の場合には、冷却効率が高く、且つ容器内に入れる量によって保冷時間をコントロールできるドライアイスを用いることが最適である。
【００３５】
続いて、本発明の如くドライアイスを皿部３に入れて押え部５ａ，５ｂで覆った場合と、ドライアイスの冷気を直接内部に入れた場合とにおいて、二酸化炭素のガス濃度（％vol）を比較する（室温設定３０℃、ケーキなし）。
【００３６】
本発明の如くドライアイス５０ｇを皿部３に入れて押え部５ａ，５ｂで覆った場合には、容器本体１内の二酸化炭素の濃度が１時間後に１．０４％volとなり、ドライアイスの冷気を直接内部に入れるように皿部を紙製にした場合には、容器本体１内の二酸化炭素の濃度が１時間後に２．４０％volとなり、２倍以上の二酸化酸素のガス濃度となった。なお、蓄冷剤５０ｇを用いた場合には、容器本体１内の二酸化炭素の濃度が１時間後に０．５９％volとなっている。
【００３７】
更に、容器本体１内に二酸化炭素が存在した場合において、ケーキの品質に対する二酸化炭素の影響を複数のモニタ（少なくとも３名以上）により調べた。
【００３８】
容器本体１にケーキを入れることなく、天井面２にドライアイス５０ｇを直接貼付した場合には、容器本体１内の二酸化炭素の濃度が１時間後に５．５０％vol、２時間後に４．００％vol、３時間後に２．５０％volと変化するのに対し、容器本体１にケーキを入れて、天井面２にドライアイス５０ｇを直接貼付した場合には、容器本体１内の二酸化炭素の濃度が１時間後に４．５０％volとなる一方で、２時間後、３時間後に二酸化炭素の濃度を検出することができず、ケーキ自体が二酸化炭素を吸収していると考えられた。その後、二酸化炭素を吸収したと考えられるケーキを複数のモニタにより試食したところ、ケーキの種類によって異なるが、スポンジ面の大きいケーキでは、酸味やエグミの発生、クリアー感の消失等による品質（味）の変化が散見された。
【００３９】
以上のことから、ケーキを収納する収納容器の場合には、容器本体１の内部に二酸化炭素の冷気が流入しない構成が極めて有効である。
【００４０】
而して、このように本発明を実施する形態によれば、収納物と皿部３との間に受け部４を備えるので、ケーキ等の食品（収納物）を収納して保冷する際に、ドライアイスＤによって皿部３の外面に生じた氷及び／又は水が落下する場合であっても、氷や水を受け部４で受け止めて食品への氷や水の落下を防止し、食品の品質の低下を抑制できる。又、皿部３の開放面３ａを覆う押え部５ａ，５ｂは、ドライアイスＤの二酸化炭素を外部へ逃がす構成を備えるので、ドライアイスＤの二酸化炭素による容器本体１内への侵入を防止し、ケーキ等の食品の品質（味）が変化するような食品に対する酸味等の発生やクリアー感の消失を抑制できる。更に、天井面２に皿部３を介してドライアイスＤに備えるので、蓄冷剤に比べて冷却効率を十分に高めると共に、ドライアイスＤの量によって保冷時間を調整することができる。更に又、天井面２の配置穴１１に皿部３を配置し、次に皿部３にドライアイスＤを入れて押え部５ａ，５ｂを配置し得るので、皿部３を簡易に配置できると共に、皿部３にドライアイスＤを入れて容易に準備できる。
【００４１】
本発明を実施する形態において、受け部４は、皿部３との間に隙間を有して容器本体１内に懸吊され、容器本体１の内部で冷気が流通し得る流通口１７を備えると、皿部３との間の隙間により、皿部３の外面に生じた氷及び／又は水が受け部４に直接移行して受け部４自体に新たな氷や水が生じることがないので、受け部４からケーキ等の食品への氷や水の落下を防止し、食品の品質の低下を抑制できる。又、受け部４は、容器本体１の内部で冷気が食品側へ流通し得る流通口１７を備えるので、食品を適切に保冷できる。
【００４２】
本発明を実施する形態において、受け部４は、天井面２に懸吊されるよう配置穴１１の周囲面２ｂに係止する係止部１４と、係止部１４から容器本体１の内部へ延在する中間部１５と、皿部３の下方に位置するよう中間部１５に支持される下部１６を備えると、天井面２の配置穴１１に受け部４を配置した後に、受け部４の係止部１４を挟み込むように皿部３を配置して受け部４を固定するので、受け部４を簡易に設置できる。又、受け部４の構成により食品への氷や水の落下を好適に受け止めると共に、食品を好適に保冷できる。
【００４３】
本発明を実施する形態において、押え部５ａ，５ｂは、ドライアイスＤの二酸化炭素を外部へ逃がすよう、皿部３との間に隙間を備えるシート面、二酸化炭素を透過する素材を有したシート面、二酸化炭素を排出する孔を形成したシート面の少なくとも１つで形成されると、ドライアイスＤの二酸化炭素による容器本体１内への侵入を防止し、収納容器内の食品の品質が二酸化炭素により変化することを好適に抑制できる。
【００４４】
本発明を実施する形態において、皿部３は、天井面２に係止されるよう配置穴１１の周囲面２ｂに合致する縁部１３を備え、押え部５ａ，５ｂは、皿部３の縁部１３を配置穴１１の周囲面２ｂに押え付けて皿部３と容器本体１の隙間を塞ぐよう着接手段を備えると、皿部３と容器本体１の隙間からドライアイスＤの二酸化炭素が容器本体１内へ侵入することを防止し、収納容器内の食品の品質が二酸化炭素により変化することを好適に抑制できる。
【００４５】
尚、本発明の収納容器は、上述の形態例にのみ限定されるものではなく、配置穴を天井面の中央でなく、天井面の他の位置に設けても良いこと、配置穴を天井面に複数設け、夫々に受け部、皿部を備えても良いこと、その他、本発明の要旨を逸脱しない範囲内において種々変更を加え得ることは勿論である。
【図面の簡単な説明】
【００４６】
【図１】本発明を実施する形態の一例を示す上面図である。
【図２】図１のＩＩ−ＩＩ方向の矢視図である。
【図３】図１のＩＩＩ−ＩＩＩ方向の矢視図である。
【図４】容器本体、受け部、皿部の組み立て順を示す概念図である。
【図５】容器本体の天井面を開けた状態を示す概念図である
【図６】ドライアイスを入れて押え部を配置する一例を示す概念図である。
【図７】ドライアイスを入れて押え部を配置する他例を示す概念図である。
【図８】ドライアイスと蓄冷剤とにおいて容器本体内の温度を比較したグラフである。
【図９】ドライアイスの量を変更した際の容器本体内の温度を比較したグラフである。
【図１０】ドライアイスと蓄冷剤とにおいてケーキの品温を比較したグラフである。
【符号の説明】
【００４７】
１    容器本体
２    天井面
２ｂ  周囲面
３    皿部
３ａ  開放面
４    受け部
５ａ  押え部
５ｂ  押え部
１１    配置穴
１３    縁部
１４    係止部
１５    中間部
１６    下部
１７    流通口
１８ａ  シート面
１８ｂ  シート面
１８ｃ  シート面
１９ａ  接着面（接着手段）
１９ｂ  接着面（接着手段）
Ｄ    ドライアイス
【図１】
2009067440.tif 000003
【図２】
2009067440.tif 000004
【図３】
2009067440.tif 000005
【図４】
2009067440.tif 000006
【図５】
2009067440.tif 000007
【図６】
2009067440.tif 000008
【図７】
2009067440.tif 000009
【図８】
2009067440.tif 000010
【図９】
2009067440.tif 000011
【図１０】
2009067440.tif 000012